(57)【要約】【課題】引戸の厚さ方向の寸法にかかわらず共通の引手部材を用いることができるようにしながら、引手部材を取り付けるための引戸の切欠部を簡単な形状とすることで切欠部を容易に形成することができるようにした引戸の引手部材を提供すること。【解決手段】木口側が開口し、引戸Ｄの厚さ方向に貫通する引手空間１０、２０を形成する、引戸Ｄの厚さ方向で分割して構成した第１枠部材１及び第２枠部材２と、引手空間１０、２０を引戸Ｄの厚さ方向の所定位置で仕切る仕切り面板部３１及びこの仕切り面板部３１の木口側に一体に形成した引手空間１０、２０の木口側を閉じる木口面板部３２を備えた仕切り部材３とからなる。【選択図】図１
2019116768.tif 000002
【特許請求の範囲】
【請求項１】
引戸の木口部を切り欠いて形成した切欠部に取り付けられる引手部材において、木口側が開口し、引戸の厚さ方向に貫通する引手空間を形成する、引戸の厚さ方向で分割して構成した第１枠部材及び第２枠部材と、前記引手空間を引戸の厚さ方向の所定位置で仕切る仕切り面板部及び該仕切り面板部の木口側に一体に形成した引手空間の木口側を閉じる木口面板部を備えた仕切り部材とからなることを特徴とする引戸の引手部材。
【請求項２】
前記第１枠部材及び第２枠部材の木口側における対向面を傾斜面で構成したことを特徴とする請求項１に記載の引戸の引手部材。
【請求項３】
前記仕切り部材の木口面板部の引戸の厚さ方向の寸法を、第１枠部材及び第２枠部材の引戸の厚さ方向の合計寸法よりも小さくしたことを特徴とする請求項１又は２に記載の引戸の引手部材。
【請求項４】
前記仕切り部材と、第１枠部材及び第２枠部材のいずれか一方とを、一体に形成してなることを特徴とする請求項１、２又は３に記載の引戸の引手部材。
【発明の詳細な説明】
【技術分野】
【０００１】
本発明は、引戸の引手部材に関し、特に、引戸の木口部を切り欠いて形成した切欠部に取り付けられる引手部材に関するものである。
【背景技術】
【０００２】
従来、引戸の引手部材として、引戸の木口部の近傍位置を刳り抜いて取り付けるようにしたもののほか、引戸の木口部を切り欠いて形成した切欠部に取り付けるようにしたもの（例えば、特許文献１参照。）がある。
【先行技術文献】
【特許文献】
【０００３】
【特許文献１】特開２０１３−２３９２４号公報
【発明の概要】
【発明が解決しようとする課題】
【０００４】
ところで、引戸の木口部を切り欠いて形成した切欠部に取り付けるようにした特許文献１に開示された引手部材においては、引戸の木口部を、引戸の厚さ方向の中心部が残存するように、引戸の両側の面から厚さ方向に一部切り欠き、その切欠部に引手部材を取り付けるようにしていた。
このため、引戸の厚さ方向の寸法にかかわらず共通の引手部材を用いることができるという利点を有する反面、引手部材を取り付けるための引戸の切欠部を形成するのに手数と熟練を要するという問題があった。
【０００５】
本発明は、上記従来の引戸の木口部を切り欠いて形成した切欠部に取り付けるようにした引手部材の有する問題点に鑑み、引戸の厚さ方向の寸法にかかわらず共通の引手部材を用いることができるようにしながら、引手部材を取り付けるための引戸の切欠部を簡単な形状とすることで切欠部を容易に形成することができるようにした引戸の引手部材を提供することを目的とする。
【課題を解決するための手段】
【０００６】
上記目的を達成するため、本発明の引戸の引手部材は、引戸の木口部を切り欠いて形成した切欠部に取り付けられる引手部材において、木口側が開口し、引戸の厚さ方向に貫通する引手空間を形成する、引戸の厚さ方向で分割して構成した第１枠部材及び第２枠部材と、前記引手空間を引戸の厚さ方向の所定位置で仕切る仕切り面板部及び該仕切り面板部の木口側に一体に形成した引手空間の木口側を閉じる木口面板部を備えた仕切り部材とからなることを特徴とする。
【０００７】
この場合において、前記第１枠部材及び第２枠部材の木口側における対向面を傾斜面で構成することができる。
【０００８】
また、前記仕切り部材の木口面板部の引戸の厚さ方向の寸法を、第１枠部材及び第２枠部材の引戸の厚さ方向の合計寸法よりも小さくすることができる。
【０００９】
また、前記仕切り部材と、第１枠部材及び第２枠部材のいずれか一方とを、一体に形成してなるようにすることができる。
【発明の効果】
【００１０】
本発明の引戸の引手部材によれば、引戸の木口部を切り欠いて形成した切欠部に取り付けられる引手部材において、木口側が開口し、引戸の厚さ方向に貫通する引手空間を形成する、引戸の厚さ方向で分割して構成した第１枠部材及び第２枠部材と、前記引手空間を引戸の厚さ方向の所定位置で仕切る仕切り面板部及び該仕切り面板部の木口側に一体に形成した引手空間の木口側を閉じる木口面板部を備えた仕切り部材とからなるようにすることにより、引手部材を取り付けるための引戸の切欠部を、引戸の厚さ方向に貫通する簡単な形状とすることができ、これによって、切欠部を容易に形成することができる。
そして、第１枠部材及び第２枠部材を、引戸の厚さ方向で分割して構成することにより、引戸の厚さ方向の寸法にかかわらず共通の引手部材を用いることができ、また、仕切り面板部及び木口面板部を備えた仕切り部材が、当該第１枠部材及び第２枠部材を分割して構成したことの目隠しとなって、意匠性が低下することを防止することができる。
【００１１】
また、前記第１枠部材及び第２枠部材の木口側における対向面を傾斜面で構成することにより、厚さ方向の寸法が大きな引戸に用いることで第１枠部材及び第２枠部材の隙間が大きくなる場合でも、当該隙間を目立たなくすることができる。
【００１２】
また、前記仕切り部材の木口面板部の引戸の厚さ方向の寸法を、第１枠部材及び第２枠部材の引戸の厚さ方向の合計寸法よりも小さくすることによって、指詰めを防止することができるとともに、引込戸にも適用することができる。
【００１３】
また、前記仕切り部材と、第１枠部材及び第２枠部材のいずれか一方とを、一体に形成してなるようにすることにより、部品点数を少なくすることができる。
【図面の簡単な説明】
【００１４】
【図１】本発明の引戸の引手部材の一実施例を示す斜視図である。
【図２】同正面図である。
【図３】同背面図である。
【図４】同左側面図である。
【図５】（ａ）は同平面図、（ｂ）は同高さ方向の中間位置での平断面図である。
【図６】同引手部材を取り付けるための引戸の切欠部を示す正面図である。
【図７】本発明の引戸の引手部材の変形実施例を示す斜視図である。
【発明を実施するための形態】
【００１５】
以下、本発明の引戸の引手部材の実施の形態を、図面に基づいて説明する。
【００１６】
図１〜図６に、本発明の引戸の引手部材の一実施例を示す。
この引戸の引手部材は、引戸Ｄの木口部を切り欠いて形成した切欠部Ｂに取り付けられるもので、木口側が開口し、引戸Ｄの厚さ方向に貫通する引手空間１０、２０を形成する、引戸Ｄの厚さ方向で分割して構成した第１枠部材１及び第２枠部材２と、引手空間１０、２０を引戸Ｄの厚さ方向の所定位置で仕切る仕切り面板部３１及びこの仕切り面板部３１の木口側に一体に形成した引手空間１０、２０の木口側を閉じる木口面板部３２を備えた仕切り部材３とからなるようにしている。
【００１７】
この引戸の引手部材を構成する、第１枠部材１、第２枠部材２及び仕切り部材３は、特に限定されるものではないが、亜鉛合金等の金属や合成樹脂の成型品で構成することができる。
【００１８】
第１枠部材１及び第２枠部材２は、図６に示すように、引戸Ｄの木口部を切り欠いて形成した、引戸Ｄの厚さ方向に貫通する略矩形形状の切欠部Ｂに嵌め込んで取り付けられるもので、縦断面形状が略コ字状をし、引戸Ｄを開閉する際に、手指を挿入する引手空間１０、２０を形成するようにしている。そして、その縦方向の内面に手指を掛け易く、操作性が向上するように、当該内面を、引手空間１０、２０の開口側が狭く、奥側が広くなる傾斜面で構成するとともに、内縁に面取りを施すようにしている。
また、第１枠部材１及び第２枠部材２は、外側縁に引戸Ｄの表面に沿うフランジ１１、２１を形成するようにしている。
【００１９】
第１枠部材１及び第２枠部材２には、内方を向くように傾斜させてねじ穴１２、２２を形成し、ねじを用いて固定するようにする。
この場合、第１枠部材１及び第２枠部材２を、引戸Ｄの厚さ方向で分割して構成するようにしているため、引戸Ｄの厚さ方向の寸法にかかわらず共通の引手部材を用いることができるが、厚さ方向の寸法が大きな引戸Ｄに用いる場合には、第１枠部材１及び第２枠部材２の対向面間に隙間が形成されるようにして取り付けるようにする。
【００２０】
そして、本実施例においては、第１枠部材１及び第２枠部材２の木口側における対向面を傾斜面１３、２３で構成するようにしている。
これにより、厚さ方向の寸法が大きな引戸Ｄに用いることで第１枠部材１及び第２枠部材２の隙間が大きくなる場合でも、隙間から第１枠部材１（傾斜面の形状によって、第２枠部材２とすることもできる。）が見えるだけで、当該隙間を目立たなくすることができる。
【００２１】
第１枠部材１及び第２枠部材２によって形成される引戸Ｄの厚さ方向に貫通する引手空間１０、２０を引戸Ｄの厚さ方向の所定位置で仕切る仕切り面板部３１及びこの仕切り面板部３１の木口側に一体に形成した引手空間１０、２０の木口側を閉じる木口面板部３２を備えた仕切り部材３は、横断面形状が略Ｔ字状をして構成され、引戸Ｄを開閉する際に、手指を挿入する引手空間１０、２０を仕切り面板部３１によって区画形成するようにしている。そして、引手空間１０、２０を形成する木口面板部３２の縦方向の内面に手指を掛け易く、操作性が向上するように、当該内面を、引手空間１０、２０の開口側が狭く、奥側が広くなる傾斜面で構成するとともに、内縁に面取りを施すようにしている。
ここで、引手空間１０、２０が略等しい奥行き深さとなるように、仕切り面板部３１によって、第１枠部材１及び第２枠部材２によって形成される引戸Ｄの厚さ方向に貫通する引手空間１０、２０を引戸Ｄの厚さ方向で仕切るようにすることが好ましいが、引戸の設置条件等に応じて、仕切り面板部３１と木口面板部３２の接合位置を適宜変えた仕切り部材３を用いることによって、引手空間１０と引手空間２０の奥行き深さが異なるように設定することもできる。
【００２２】
仕切り部材３は、第１枠部材１及び第２枠部材２の縦方向の内面に形成した窪み１４、２４に、仕切り面板部３１の木口面板部３２の反対側の端部が嵌め込み、第１枠部材１（又は第２枠部材２）にねじ穴１５を形成し、ねじを用いて固定するようにする。
これにより、仕切り面板部３１及び木口面板部３２を備えた仕切り部材３は、第１枠部材１及び第２枠部材２を分割して構成したことの目隠しとなって、意匠性が低下することを防止する機能を果たすことができる。
【００２３】
なお、本実施例においては、引手部材を、第１枠部材１及び第２枠部材２と仕切り部材３の３個の基本部品によって構成するようにしたが、例えば、アンダーカット部をなくすこと、具体的には、引手空間１０、２０の開口側が狭く、奥側が広くなる傾斜面を平行面にすることによって、仕切り部材３と、第１枠部材１及び第２枠部材２のいずれか一方、例えば、第１枠部材１とを、一体に形成してなるようにすることができる。
これにより、部品点数を少なくすることができる。
【００２４】
この引戸の引手部材は、片引戸、引違戸、戸袋を備えた引込戸等の各種引戸や厚さの異なる種々の引戸の引手部材に用いることができる。
【００２５】
ところで、本実施例においては、仕切り部材３の木口面板部３２の引戸Ｄの厚さ方向の寸法を、第１枠部材１及び第２枠部材２の対向面間に隙間を設けない状態での第１枠部材１及び第２枠部材２の引戸Ｄの厚さ方向の合計寸法と略等しくしたが、図７に示す変形実施例のように、仕切り部材３の木口面板部３２の引戸Ｄの厚さ方向の寸法を、第１枠部材１及び第２枠部材２の引戸Ｄの厚さ方向の合計寸法よりも小さくする、具体的には、合計寸法の１／３〜２／３程度（この実施例では、１／２程度。）にすることによって、指詰めを防止することができるとともに、引戸Ｄが戸袋に完全に収容される形式の引込戸にも適用することができる。
【００２６】
以上、本発明の引戸の引手部材について、その実施例に基づいて説明したが、本発明は上記実施例に記載した構成に限定されるものではなく、その趣旨を逸脱しない範囲において適宜その構成を変更することができるものである。
【産業上の利用可能性】
【００２７】
本発明の引戸の引手部材は、引戸の厚さ方向の寸法にかかわらず共通の引手部材を用いることができるようにしながら、引手部材を取り付けるための引戸の切欠部を簡単な形状とすることで切欠部を容易に形成することができることから、各種引戸や厚さの異なる種々の引戸の引手部材の用途に好適に用いることができる。
【符号の説明】
【００２８】
１  第１枠部材
１０  引手空間
１１  フランジ
１２  ねじ穴
１３  傾斜面
１４  窪み
１５  ねじ穴
２  第２枠部材
２０  引手空間
２１  フランジ
２２  ねじ穴
２３  傾斜面
２４  窪み
３  仕切り部材
３１  仕切り面板部
３２  木口面板部
Ｄ  引戸
Ｂ  切欠部
【図１】
2019116768.tif 000003
【図２】
2019116768.tif 000004
【図３】
2019116768.tif 000005
【図４】
2019116768.tif 000006
【図５】
2019116768.tif 000007
【図６】
2019116768.tif 000008
【図７】
2019116768.tif 000009